【手続補正書】
【提出日】平成18年8月29日(2006.8.29)
【手続補正１】
【補正対象書類名】明細書
【補正対象項目名】００７１
【補正方法】変更
【補正の内容】
【００７１】
図１２は、上記の問題を解決する本実施の形態による磁気光学光部品として可変光アッテネータ３の構成を模式的に示している。図１２では、図７と同様に座標系をとっている。図１２に示すように、可変光アッテネータ３は、複屈折板１１と、複屈折板１１の＋Ｚ方向に配置された２枚の１／２波長板２６、２７とを有している。１／２波長板２６は複屈折板１１を常光として透過した光の偏光方位を＋４５°回転させ、１／２波長板２７は複屈折板１１を異常光として透過した光の偏光方位を−４５°回転させるようになっている。これにより１／２波長板２６を透過した光の偏光方位と１／２波長板２７を透過した光の偏光方位とが一致する。なお１／２波長板は、複屈折板１１を常光として透過した光の偏光方位と、複屈折板１１を異常光として透過した光の偏光方位とを一致させるように配置すればよい。したがって、例えば複屈折板１１を常光として透過した光の光路上に光の偏光方位を＋９０°回転させる１／２波長板２６を配置すれば、複屈折板１１を異常光として透過した光の光路上に１／２波長板２７を配置しなくてもよい。１／２波長板２６、２７の＋Ｚ方向には、ファラデー回転子２０が配置されている。ファラデー回転子２０には、第１の実施の形態と同様に、不図示の磁界印加機構により所定の分布の磁界が印加され、磁区構造が形成されている。ＹＺ面に平行な磁壁Ｉ（図示せず）は、電磁石のコイルに流す電流を制御することにより±Ｘ方向に移動できるようになっている。ファラデー回転子２０の光透過領域内の磁区構造を徐々に変化させることによって光の減衰量を連続的に変化させることができる。ファラデー回転子２０の＋Ｚ方向には、偏光板（偏光ガラス）３４が配置されている。偏光板３４は、光入射ポートＰ１（１）からの光のうち、光出射ポートＰ２（２）に結合しない偏光成分の光を吸収するようになっている。偏光板３４の＋Ｚ方向には２枚の１／２波長板２８、２９が配置され、１／２波長板２８、２９の＋Ｚ方向には複屈折板１２が配置されている。１／２波長板２８は、偏光板３４を透過した光が複屈折板１２に異常光として入射するように偏光方位を回転させるようになっている。１／２波長板２９は、偏光板３４を透過した光が複屈折板１２に常光として入射するように偏光方位を回転させるようになっている。なお、複屈折板１２の向きを調整すれば、１／２波長板２８、２９はどちらか一方のみでも可能である。複屈折板１２の＋Ｚ方向には、光の一部を取り出す光学素子であるガラス板３０が配置されている。ガラス板３０は、ＸＹ面を＋Ｘ方向に見てＸ軸について時計回りに４５°回転させた面に平行に配置され、＋Ｚ方向に進む光の一部を＋Ｙ方向に反射させるようになっている。ガラス板３０の＋Ｙ方向には、ガラス板３０で反射した光を受光して強度を検出するモニタＰＤ（受光部）３２が配置されている。モニタＰＤ３２で光の強度を検出することにより、可変光アッテネータ３を透過する透過光量をモニタできるようになっている。
【手続補正２】
【補正対象書類名】明細書
【補正対象項目名】００７４
【補正方法】変更
【補正の内容】
【００７４】
図１３は、本実施の形態による磁気光学光部品の変形例として可変光アッテネータ３’の構成を模式的に示している。図１３では、図７と同様に座標系をとっている。図１３に示すように、可変光アッテネータ３’は、複屈折板１１と、複屈折板１１の＋Ｚ方向に配置された２枚の１／２波長板２６、２７とを有している。１／２波長板２６は複屈折板１１を常光として透過した光の偏光方位を＋４５°回転させ、１／２波長板２７は複屈折板１１を異常光として透過した光の偏光方位を−４５°回転させるようになっている。これにより、１／２波長板２６を透過した光の偏光方位と１／２波長板２７を透過した光の偏光方位とが一致する。１／２波長板２６、２７の＋Ｚ方向には、ファラデー回転子２０、偏光板３４、ファラデー回転子２１、及び偏光板３５がこの順に配置されている。偏光板３４、３５は、光入射ポートＰ１（１）側からの光のうち、光出射ポートＰ２（２）に結合しない偏光成分の光を吸収するようになっている。偏光板３５の＋Ｚ方向には２枚の１／２波長板２８、２９が配置され、１／２波長板２８、２９の＋Ｚ方向には複屈折板１２が配置されている。１／２波長板２８は、偏光板３５を透過した光が複屈折板１２に異常光として入射するように偏光方位を回転させるようになっている。１／２波長板２９は、偏光板３５を透過した光が複屈折板１２に常光として入射するように偏光方位を回転させるようになっている。複屈折板１２の＋Ｚ方向には、ガラス板３０が配置されている。ガラス板３０は、ＸＹ面を＋Ｘ方向に見てＸ軸について時計回りに４５°回転させた面に平行に配置され、＋Ｚ方向に進む光の一部を＋Ｙ方向に反射させるようになっている。ガラス板３０の＋Ｙ方向には、ガラス板３０で反射した光をモニタするモニタＰＤ３２が配置されている。モニタＰＤ３２で光の強度を検出することにより、可変光アッテネータ３’を透過する透過光量をモニタできるようになっている。
【手続補正３】
【補正対象書類名】明細書
【補正対象項目名】００７６
【補正方法】変更
【補正の内容】
【００７６】
〔第４の実施の形態〕
次に、本発明の第４の実施の形態による磁気光学光部品について図１４乃至図２７を用いて説明する。図１４は、本実施の形態による磁気光学光部品として反射型可変光アッテネータ４の構成を模式的に示している。図１４では、光の進行方向にＺ軸をとり、外部からの光が反射型可変光アッテネータ４の備える２面反射体（反射部）３８に向かう方向を＋Ｚ方向としている。また、反射型可変光アッテネータ４の備えるファラデー回転子２０の磁壁ＩがＹＺ面に平行になるようにＹ軸をとり、ＹＺ面に直交する方向にＸ軸をとっている。図１４（ａ）は反射型可変光アッテネータを＋Ｙ方向に見た構成を示し、図１４（ｂ）は反射型可変光アッテネータを−Ｘ方向に見た構成を示している。
【手続補正４】
【補正対象書類名】明細書
【補正対象項目名】００７７
【補正方法】変更
【補正の内容】
【００７７】
図１４（ａ）、（ｂ）に示すように、反射型可変光アッテネータ４は、２本の光ファイバ４１、４２に接続されている。光ファイバ４１の−Ｚ側の端部は、外部から光が入射する光入射ポートＰ１（１）になっている。光ファイバ４２の−Ｚ側の端部は、外部に光を出射する光出射ポートＰ２（２）になっている。各光ファイバ４１、４２の＋Ｚ方向には、光ファイバ４１、４２から出射した発散光を平行光に変換するレンズ５１、５２がそれぞれ配置されている。
【手続補正５】
【補正対象書類名】明細書
【補正対象項目名】００８４
【補正方法】変更
【補正の内容】
【００８４】
図１５（ｄ）の右側に示すように、光Ｌ３６ａ、Ｌ３６ｂは、軸ずれせずに直進して複屈折板１５の一方の表面から光Ｌ３７ａ、Ｌ３７ｂとして出射する。光Ｌ３７ａ、Ｌ３７ｂは、ファラデー回転子２０の磁区Ａに入射する。ここで、光Ｌ３７ａの入射位置と図１５（ｄ）の左側に示す光Ｌ３４ａの出射位置との距離、及び光Ｌ３７ｂの入射位置と図１５（ｄ）の左側に示す光Ｌ３４ｂの出射位置との距離は、光のビーム径の０．８倍以上になっている。図１５（ｃ）の右側に示すように、光Ｌ３７ａ、Ｌ３７ｂは偏光方位が＋Ｚ方向に見てＺ軸について時計回りに４５°回転した光Ｌ３８ａ、Ｌ３８ｂとしてファラデー回転子２０から出射する。光Ｌ３８ａは１／２波長板３６に入射し、光Ｌ３８ｂは１／２波長板３７に入射する。図１５（ｂ）の右側に示すように、光Ｌ３８ａは偏光方位が＋Ｚ方向に見てＺ軸について反時計回りに４５°回転した光Ｌ３９ａとして１／２波長板３６から出射する。光Ｌ３８ｂは偏光方位が＋Ｚ方向に見てＺ軸について時計回りに４５°回転した光Ｌ３９ｂとして１／２波長板３７から出射する。光Ｌ３９ａは複屈折板１６に入射して異常光となり、光Ｌ３９ｂは複屈折板１６に入射して常光となる。図１５（ａ）の右側に示すように、光Ｌ３９ａは矢印Ｃ１３の逆方向に軸ずれして光Ｌ３９ｂと合波し、光Ｌ４０として複屈折板１６から出射する。光Ｌ４０は、光出射ポートＰ２（２）に入射して外部に出射する。したがって、光入射ポートＰ１（１）に入射した光は、偏光に依存せずに全て光出射ポートＰ２（２）から出射することになる。
【手続補正６】
【補正対象書類名】明細書
【補正対象項目名】００８６
【補正方法】変更
【補正の内容】
【００８６】
図１６（ｄ）の右側に示すように、光Ｌ４６ａ、Ｌ４６ｂは、軸ずれせずに直進して複屈折板１５の一方の表面から光Ｌ４７ａ、Ｌ４７ｂとして出射する。光Ｌ４７ａ、Ｌ４７ｂは、ファラデー回転子２０の磁区Ｂに入射する。ここで、光Ｌ４７ａの入射位置と図１６（ｄ）の左側に示す光Ｌ４４ａの出射位置との距離、及び光Ｌ４７ｂの入射位置と図１５（ｄ）の左側に示す光Ｌ４４ｂの出射位置との距離は、光のビーム径の０．８倍以上になっている。図１６（ｃ）の右側に示すように、光Ｌ４７ａ、Ｌ４７ｂは、偏光方位が＋Ｚ方向に見てＺ軸について反時計回りに４５°回転した光Ｌ４８ａ、Ｌ４８ｂとしてファラデー回転子２０から出射する。光Ｌ４８ａは１／２波長板３６に入射し、光Ｌ４８ｂは１／２波長板３７に入射する。図１６（ｂ）の右側に示すように、光Ｌ４８ａは偏光方位が＋Ｚ方向に見てＺ軸について反時計回りに４５°回転した光Ｌ４９ａとして１／２波長板３６から出射する。光Ｌ４８ｂは偏光方位が＋Ｚ方向に見てＺ軸について時計回りに４５°回転した光Ｌ４９ｂとして１／２波長板３７から出射する。光Ｌ４９ａは複屈折板１６に入射して常光となり、光Ｌ４９ｂは複屈折板１６に入射して異常光となる。図１６（ａ）の右側に示すように、光Ｌ４９ａは軸ずれせずに光Ｌ５０ａとして複屈折板１６から出射し、光Ｌ４９ｂは矢印Ｃ１３の逆方向に軸ずれして光Ｌ５０ｂとして複屈折板１６から出射する。光Ｌ５０ａ、Ｌ５０ｂは合波せず、いずれも光出射ポートＰ２（２）に入射しない。したがって、光入射ポートＰ１（１）に入射した光は、偏光に依存せずに光出射ポートＰ２（２）から出射しないことになる。
【手続補正７】
【補正対象書類名】明細書
【補正対象項目名】００８８
【補正方法】変更
【補正の内容】
【００８８】
図１７（ｄ）の右側に示すように、光Ｌ５６ａ、Ｌ５６ｂは、矢印Ｃ１２の逆方向に軸ずれして複屈折板１５の一方の表面から光Ｌ５７ａ、Ｌ５７ｂとして出射する。光Ｌ５７ａ、Ｌ５７ｂはファラデー回転子２０の磁区Ｂに入射する。図１７（ｃ）の右側に示すように、光Ｌ５７ａ、Ｌ５７ｂは偏光方位が＋Ｚ方向に見てＺ軸について反時計回りに４５°回転した光Ｌ５８ａ、Ｌ５８ｂとしてファラデー回転子２０から出射する。光Ｌ５８ａは１／２波長板３６に入射し、光Ｌ５８ｂは１／２波長板３７に入射する。図１７（ｂ）の右側に示すように、光Ｌ５８ａは偏光方位が＋Ｚ方向に見てＺ軸について反時計回りに４５°回転した光Ｌ５９ａとして１／２波長板３６から出射する。光Ｌ５８ｂは偏光方位が＋Ｚ方向に見てＺ軸について時計回りに４５°回転した光Ｌ５９ｂとして１／２波長板３７から出射する。光Ｌ５９ａは複屈折板１６に入射して異常光となり、光Ｌ５９ｂは複屈折板１６に入射して常光となる。図１７（ａ）の右側に示すように、光Ｌ５９ａは矢印Ｃ１３の逆方向に軸ずれして光Ｌ５９ｂと合波し、光Ｌ６０として複屈折板１６から出射する。光Ｌ６０は、光出射ポートＰ２（２）に入射しない。したがって、光入射ポートＰ１（１）に入射した光は、偏光に依存せずに光出射ポートＰ２（２）から出射しないことになる。
【手続補正８】
【補正対象書類名】明細書
【補正対象項目名】００９０
【補正方法】変更
【補正の内容】
【００９０】
図１８（ｄ）の左側に示すように、光Ｌ６６ａ、Ｌ６６ｂは、矢印Ｃ１２の逆方向に軸ずれして複屈折板１５の一方の表面から光Ｌ６７ａ、Ｌ６７ｂとして出射する。光Ｌ６７ａ、Ｌ６７ｂは、ファラデー回転子２０の磁区Ａに入射する。図１８（ｃ）の左側に示すように、光Ｌ６７ａ、Ｌ６７ｂは、偏光方位が＋Ｚ方向に見てＺ軸について時計回りに４５°回転した光Ｌ６８ａ、Ｌ６８ｂとしてファラデー回転子２０から出射する。光Ｌ６８ａは１／２波長板３７に入射し、光Ｌ６８ｂは１／２波長板３６に入射する。図１８（ｂ）の左側に示すように、光Ｌ６８ａは偏光方位が＋Ｚ方向に見てＺ軸について時計回りに４５°回転した光Ｌ６９ａとして１／２波長板３７から出射する。光Ｌ６８ｂは、偏光方位が＋Ｚ方向に見てＺ軸について反時計回りに４５°回転した光Ｌ６９ｂとして１／２波長板３６から出射する。光Ｌ６９ａは複屈折板１４に入射して異常光となり、光Ｌ６９ｂは複屈折板１４に入射して常光となる。図１８（ａ）の左側に示すように、光Ｌ６９ａは矢印Ｃ１１の逆方向に軸ずれして光Ｌ６９ｂと合波し、光Ｌ７０として複屈折板１４から出射する。光Ｌ７０は、光入射ポートＰ１（１）に入射しない。したがって、光出射ポートＰ２（２）に入射した光は、偏光に依存せずに光入射ポートＰ１（１）から出射しないことになる。
【手続補正９】
【補正対象書類名】明細書
【補正対象項目名】００９２
【補正方法】変更
【補正の内容】
【００９２】
図１９（ｄ）の左側に示すように、光Ｌ７６ａ、Ｌ７６ｂは、軸ずれせずに複屈折板１５の一方の表面から光Ｌ７７ａ、Ｌ７７ｂとして出射する。光Ｌ７７ａ、Ｌ７７ｂは、ファラデー回転子２０の磁区Ａに入射する。図１９（ｃ）の左側に示すように、光Ｌ７７ａ、Ｌ７７ｂは、偏光方位が＋Ｚ方向に見てＺ軸について時計回りに４５°回転した光Ｌ７８ａ、Ｌ７８ｂとしてファラデー回転子２０から出射する。光Ｌ７８ａは１／２波長板３７に入射し、光Ｌ７８ｂは１／２波長板３６に入射する。図１９（ｂ）の左側に示すように、光Ｌ７８ａは偏光方位が＋Ｚ方向に見てＺ軸について時計回りに４５°回転した光Ｌ７９ａとして１／２波長板３７から出射する。光Ｌ７８ｂは、偏光方位が＋Ｚ方向に見てＺ軸について反時計回りに４５°回転した光Ｌ７９ｂとして１／２波長板３６から出射する。光Ｌ７９ａは複屈折板１４に入射して常光となり、光Ｌ７９ｂは複屈折板１４に入射して異常光となる。図１９（ａ）の左側に示すように、光Ｌ７９ａは矢印Ｃ１１の逆方向に軸ずれして光Ｌ８０ａとして複屈折板１４から出射し、光Ｌ７９ｂは軸ずれせずに光Ｌ８０ｂとして複屈折板１４から出射する。光Ｌ８０ａ、Ｌ８０ｂは合波せず、いずれも光入射ポートＰ１（１）に入射しない。したがって、光出射ポートＰ２（２）に入射した光は、偏光に依存せずに光入射ポートＰ１（１）から出射しないことになる。
【手続補正１０】
【補正対象書類名】明細書
【補正対象項目名】００９４
【補正方法】変更
【補正の内容】
【００９４】
図２０（ｄ）の左側に示すように、光Ｌ８６ａ、Ｌ８６ｂは、軸ずれせずに複屈折板１５の一方の表面から光Ｌ８７ａ、Ｌ８７ｂとして出射する。光Ｌ８７ａ、Ｌ８７ｂは、ファラデー回転子２０の磁区Ｂに入射する。図２０（ｃ）の左側に示すように、光Ｌ８７ａ、Ｌ８７ｂは、偏光方位が＋Ｚ方向に見てＺ軸について反時計回りに４５°回転した光Ｌ８８ａ、Ｌ８８ｂとしてファラデー回転子２０から出射する。光Ｌ８８ａは１／２波長板３７に入射し、光Ｌ８８ｂは１／２波長板３６に入射する。図２０（ｂ）の左側に示すように、光Ｌ８８ａは偏光方位が＋Ｚ方向に見てＺ軸について時計回りに４５°回転した光Ｌ８９ａとして１／２波長板３７から出射する。光Ｌ８８ｂは、偏光方位が＋Ｚ方向に見てＺ軸について反時計回りに４５°回転した光Ｌ８９ｂとして１／２波長板３６から出射する。光Ｌ８９ａは複屈折板１４に入射して異常光となり、光Ｌ８９ｂは複屈折板１４に入射して常光となる。図２０（ａ）の左側に示すように、光Ｌ８９ａは矢印Ｃ１１の逆方向に軸ずれして光Ｌ８９ｂと合波し、光Ｌ９０として複屈折板１６から出射する。光Ｌ９０は、光入射ポートＰ１（１）に入射して外部に出射する。したがって、光出射ポートＰ２（２）に入射した光は、偏光に依存せずに光入射ポートＰ１（１）から出射することになる。
【手続補正１１】
【補正対象書類名】明細書
【補正対象項目名】０１０１
【補正方法】変更
【補正の内容】
【０１０１】
図２２（ｄ）の右側に示すように、光Ｌ１３６ａ、Ｌ１３６ｂは、偏光ガラス１７の一方の表面から光Ｌ１３７ａ、Ｌ１３７ｂとしてそのまま出射する。光Ｌ１３７ａ、Ｌ１３７ｂは、ファラデー回転子２０の磁区Ａに入射する。ここで、光Ｌ１３７ａの入射位置と図２２（ｄ）の左側に示す光Ｌ１３４ａの出射位置との距離、及び光Ｌ１３７ｂの入射位置と図２２（ｄ）の左側に示す光Ｌ１３４ｂの出射位置との距離は、光のビーム径の０．８倍以上になっている。図２２（ｃ）の右側に示すように、光Ｌ１３７ａ、Ｌ１３７ｂは偏光方位が＋Ｚ方向に見てＺ軸について時計回りに４５°回転した光Ｌ１３８ａ、Ｌ１３８ｂとしてファラデー回転子２０から出射する。光Ｌ１３８ａは１／２波長板３６に入射し、光Ｌ１３８ｂは１／２波長板３７に入射する。図２２（ｂ）の右側に示すように、光Ｌ１３８ａは偏光方位が＋Ｚ方向に見てＺ軸について反時計回りに４５°回転した光Ｌ１３９ａとして１／２波長板３６から出射する。光Ｌ１３８ｂは偏光方位が＋Ｚ方向に見てＺ軸について時計回りに４５°回転した光Ｌ１３９ｂとして１／２波長板３７から出射する。光Ｌ１３９ａは複屈折板１６に入射して異常光となり、光Ｌ１３９ｂは複屈折板１６に入射して常光となる。図２２（ａ）の右側に示すように、光Ｌ１３９ａは矢印Ｃ１３の逆方向に軸ずれして光Ｌ１３９ｂと合波し、光Ｌ１４０として複屈折板１６から出射する。光Ｌ１４０は、光出射ポートＰ２（２）に入射して外部に出射する。したがって、光入射ポートＰ１（１）に入射した光は、偏光に依存せずに全て光出射ポートＰ２（２）から出射することになる。